(57)【要約】【課題】多くの小型オゾン発生装置はエアーポンプから直接、オゾン発生器に空気を送る構造の装置であり装置の冷却に関しては大気による自然冷却のものが多く、オゾン発生器の発生効率は空気中の湿度と大きく関係し、湿度が多いほどオゾンの発生効率は低くなるため、天候や季節によって大きく左右されると言う課題がある。【解決手段】中空糸膜で構成されるエアードライヤーを応用することで、無電源で良質の乾燥空気を得ると同時に、排出される湿潤空気を利用することでオゾン発生装置本体内部に発生する熱を、効率良く放熱させる自己冷却機能を持たせた、湿潤排出空気を利用した自冷式高効率小型オゾン発生装置。【選択図】  図１
2005104816.tif 000002
【特許請求の範囲】
【請求項１】
オゾン発生装置本体（１）の台座（３）を良熱伝導体であるアルミあるいはステンレス鋼材で構成し、台座（３）の裏底面に放熱板（４）を設け、オゾン発生装置本体（１）内部に発生する熱を同じく内部に設けられた中空糸膜（１７）で構成されたエアードライヤー（１４）を通過する際に排出される湿潤空気（１２）を対流として放熱板（４）を通過するよう構成し利用することで、効率良く乾燥空気を得ると同時に放熱が行えるようしたことを特徴とする、湿潤排出空気を利用した自冷式高効率小型オゾン発生装置。
【請求項２】
放熱板（４）を裏底面に設けた台座（３）に於いて、裏底面３方向を防ぎ、１方向のみを排気口（５）として開放し、湿潤空気排出口（７）より排出される湿潤空気（１２）が常に放熱板（４）を介して排気口（５）より排気されるよう構成していることを特徴とする、湿潤排出空気を利用した自冷式高効率小型オゾン発生装置。
【請求項３】
オゾン発生装置本体（１）内部に於いて、オゾン発生器（１３）などの電気器機及び、制御器機を納める上部電気制御室（１９）と放熱機構を有するエアーポンプ（９）及び、エアードライヤー（１４）などを納める下部機械室（２０）の２層構造から構成されており、エアーポンプ（９）の吸引によってオゾン発生装置本体（１）側面に設けた２つの吸気口（２）より大気を吸気し、内部では常に大気による内部流体（１８）が循環するよう構成している、また上記に記載する放熱機構を有するエアーポンプ（９）を直接、良熱伝導体である台座（３）に設置することで熱伝導効率を高めていることを特徴とする、湿潤排出空気を利用した自冷式高効率小型オゾン発生装置。
【発明の詳細な説明】
【発明の詳細な説明】
【技術分野】
【０００１】本発明はオゾン発生装置に属する分野であり、詳しくは中空糸膜で構成されるエアードライヤーを応用することで、無電源で良質の乾燥空気を得ると同時に、排出される湿潤空気を利用することでオゾン発生装置本体内部に発生する熱を、効率良く放熱させる自己冷却機能を持たせた、湿潤排出空気を利用した自冷式高効率小型オゾン発生装置に関するものである。
【背景技術】
【０００２】従来の小型オゾン発生装置に於いては、エアーポンプから直接、オゾン発生器に空気を送る構造の装置が多く見られ、中にはシリカゲルを利用して乾燥空気を作り出す機能を設けた装置やペルチェ式冷却器を用いて空気を冷却除湿させる機能を設けた装置あるいは中空糸膜で構成したエアードライヤーを用いた小型オゾン発生装置なども見られる。【０００３】また装置本体の冷却に於いては、小型ファンによるものも見られるが、多くは大気による自然冷却である。
【発明が解決しょうとする課題】
【０００４】従来の技術で述べたように、多くの小型オゾン発生装置はエアーポンプから直接、オゾン発生器に空気を送る構造の装置である。
【０００５】オゾン発生器の発生効率は空気中の湿度と大きく関係し、湿度が多いほどオゾンの発生効率は低くなるため、天候や季節によって大きく左右されると言う問題があった。
【０００６】シリカゲルの性質を利用して乾燥空気を得ることの出来る小型オゾン発生装置に於いては、定期的なシリカゲルの交換を必要とし、廃棄物の処分やメンテナンスコストの問題などがある。
【０００７】工業用などの大型オゾン発生装置に見られるように、ペルチェ冷却器やクーラーなどの冷却器を用いて空気を冷却除湿させる機能を設けたオゾン発生装置に於いては、小型化が離しく、高価であり生産コストの問題などがある。
【０００８】最も効率良く乾燥空気を得ることが出来、小型オゾン発生装置に適するとされる、中空糸膜で構成されるエアードライヤーを設けた小型オゾン発生装置に於いては、排出される湿潤空気を無駄に排気されているのが現状である。
【０００９】小型オゾン発生装置本体の冷却に於いては使用上、屋外設置が多く装置本体の防水が求められ、大気による自然冷却では放熱効率が低く、使用器機の故障の原因や消費エネルギーのロスの原因とされ、小型電動ファンによる換気が必要とされていた。
【００１０】本発明は上記課題を克服し、自己冷却機能を設けた屋外用小型オゾン発生装置の構造の提供を目的としている。
【課題を解決するための手段】
【００１１】上記課題を克服するために、本発明の湿潤排出空気を利用した自冷式高効率小型オゾン発生装置について説明する。
【００１２】請求項１に記載の発明はオゾン発生装置本体（１）の台座（３）を良熱伝導体であるアルミあるいはステンレス鋼材で構成し、台座（３）の裏底面に放熱板（４）を設け、オゾン発生装置本体（１）内部に発生する熱を同じく内部に設けられた中空糸膜（１７）で構成されたエアードライヤー（１４）を通過する際に排出される湿潤空気（１２）を対流として放熱板（４）を通過するよう構成し利用することで、効率良く乾燥空気を得ると同時に内部発生熱の放熱が行えるようにしている。
【００１３】また請求項２に記載するように、放熱板（４）を裏底面に設けた台座（３）に於いて、裏底面３方向を防ぎ、１方向のみを排気口（５）として開放し、湿潤空気排出口（７）より排出される湿潤空気（１２）が常に放熱板（４）を介して排気口（５）より排気されるよう構成している。
【００１４】湿潤空気排出口（７）より排出される湿潤空気（１２）は、圧縮された空気流体であり、湿潤空気排出口（７）より排出される際に、急激に膨張しながら放熱板を通過するため、膨張の際に放熱板より熱を奪いながら排気される。
【００１５】また都合良く、湿潤空気（１２）に含まれている水分が気化熱の作用を有するため、相乗的に吸熱効果を高めることができる。
【００１６】請求項３に記載の発明はオゾン発生装置本体（１）内部に於いて、オゾン発生器（１３）などの電気器機及び、制御器機を納める上部電気制御室（１９）と放熱機構を有するエアーポンプ（９）及び、エアードライヤー（１４）などを納める下部機械室（２０）の２層構造から構成されており、エアーポンプ（９）の吸引によってオゾン発生装置本体（１）側面に設けた２つの吸気口（２）より大気を吸気し、内部では常に大気による内部流体（１８）が循環するよう構成している。
【００１７】そのため、オゾン発生装置本体（１）内部に熱がこもることがなく、常に循環する大気の内部流体が、内部発生熱も一緒にエアーポンプ（９）へ運ぶため、放熱機構を有するエアーポンプ（９）を直接、良熱伝導体である台座（３）に設置することで熱伝導効率を高め、オゾン発生装置本体（１）内部の発生熱を効率良く放熱ができるよう構成することで従来の屋外設置型の小型オゾン発生装置の有する課題を構造上の工夫により全て克服した。
【発明を実施するための最良の形態】
【００１８】本発明の実施の形態について、図面を参照して説明する。【００１９】図１は本発明のオゾン発生装置本体（１）を示す側面図である。【００２０】オゾン発生装置本体（１）の台座（３）を良熱伝導体であるアルミあるいはステンレス鋼材で構成し、台座（３）の裏底面に放熱板（４）を設けた構造にしている。【００２１】図２は台座（３）の底面図である。【００２２】放熱板（４）を裏底面に設けた台座（３）に於いて、台座（３）の裏底面３方向を防ぎ、１方向のみを排気口（５）として開放し、湿潤空気排出口（７）より排出される湿潤空気（１２）が常に放熱板（４）を介して排気口（５）より排気されるよう構成している。【００２３】図３は本発明の構成を示す系統図である。【００２４】エアーポンプ（９）が稼動すると吸気口（２）より大気を吸引し圧縮空気（１６）としてエアードライヤー（１４）へ送られる。【００２５】エアードライヤー（１４）内では中空糸膜によって圧縮空気（１６）の水分を除去し、乾燥空気（１１）として送出される。【００２６】送出された乾燥空気（１１）は分流器（１０）で分けられ、１方はオゾン発生器に送られ、もう１方はエアードライヤー（１４）で除去された水分を受取り湿潤空気（１２）として湿潤空気排出口（７）へ送られる。【００２７】湿潤空気排出口（７）より排出される湿潤空気（１２）は常時、膨張しながら対流方向（８）に流線を構成し、放熱板（４）を介して吸熱しながら排気口（５）より排出される。【００２８】図４は内部流体（１８）の流線をしめす断面図である。【００２９】オゾン発生装置本体（１）内部に於いて、オゾン発生器（１３）などの電気器機及び、制御器機を納める上部電気制御室（１９）と放熱機構を有するエアーポンプ（９）及び、エアードライヤー（１４）などを納める下部機械室（２０）の２層構造から構成されており、エアーポンプ（９）の吸引によってオゾン発生装置本体（１）側面に設けた２つの吸気口（２）より大気を吸気し、内部では常に大気による内部流体（１８）が循環するよう構成している。【００３０】また上記に記載する放熱機構を有するエアーポンプ（９）を直接、良熱伝導体である台座（３）に設置することで熱伝導効率を高めている。
【発明の効果】
【００３１】本発明の湿潤排出空気を利用した自冷式高効率小型オゾン発生装置は以上説明した構成からなるため、以下に記載するような効果を奏する。
【００３２】本発明は乾燥空気の生成及び、自己冷却をエアーポンプの動力のみで行うことが可能であり、天候や気候に左右されることなく、常に安定した良質の乾燥空気を得ると同時に無電源、メンテナンスフリーの自己冷却を可能にした。
【００３３】上記の構成は構造も簡易であり小型化も容易に行えることから、安価で高効率のオゾン発生装置を提供することができる。
【図面の簡単な説明】
【図１】  本発明の側面図である。
【図２】  本発明の底面図である。
【図３】  本発明の系統図である。
【図４】  本発明の内部断面図である。
【符号の説明】
１  オゾン発生装置本体
２  吸気口
３  台座
４  放熱板
５  排気口
６  オゾン吐出
７  湿潤空気排出口
８  対流方向
９  エアーポンプ
１０  分流器
１１  乾燥空気
１２  湿潤空気
１３  オゾン発生器
１４  エアードライヤー
１５  大気
１６  圧縮空気
１７  中空糸膜
１８  内部流体
１９  上部電気制御室
２０  下部機械室
【図１】
2005104816.tif 000003
【図２】
2005104816.tif 000004
【図３】
2005104816.tif 000005
【図４】
2005104816.tif 000006